(57)【要約】【課題】ドラグレバーの操作時に与えられる節度感が安定して得られるようにする。【解決手段】リール本体１の一側に設けたドラグレバー６１の回動操作により、リール本体１の左側板部１０と右側板部２０との間で回転可能に支持されたスプール２を軸方向に押圧して、スプール２に制動力を付与するドラグ機構６０を備える魚釣用リールにおいて、ドラグレバー６１の環状基部６２に、ドラグレバー６１の回動中心Ｏ周りに所定間隔をあけてピン係合穴７２が複数形成された円板７１を設けると共に、リール本体１のドラグレバー取付部２３に、ピン係合穴７２に弾性係合するピン７４、７５を設けて、ドラグレバー６１の操作時に節度感を与える節度機構を構成するピン係合穴７２とピン７４、７５とが、リール本体１の表面に露出しないようにした。【選択図】図２
2010104262.tif 000002
【特許請求の範囲】
【請求項１】
リール本体の一側に設けた操作部材の回動操作により、スプールを軸方向に押圧して、前記スプールに制動力を付与するドラグ機構を備える魚釣用リールにおいて、
前記操作部材の基部と、前記リール本体側部における前記基部と重なる対向部とのうちの一方に、前記操作部材の回動軸周りに周方向に沿って間隔をあけて凹部を複数形成すると共に、他方に、前記凹部に弾性係合する係合部材を設けたことを特徴とする魚釣用リール。
【請求項２】
前記凹部は、前記基部に設けられており、
前記係合部材は、前記対向部に設けられていることを特徴とする請求項１に記載の魚釣用リール。
【請求項３】
前記凹部は、前記基部に固定された板状部材に形成されており、
前記係合部材は、前記対向部に設けられていることを特徴とする請求項１に記載の魚釣用リール。
【発明の詳細な説明】
【技術分野】
【０００１】
本発明は、魚釣用リールに関する。
【背景技術】
【０００２】
リール本体の側板間で回転自在に支持したスプールに制動力を付与するドラグ機構を備えた魚釣用リールとして、例えば特許文献１に開示されたものがある。
【特許文献１】実開昭６０−７２１７２号公報
【０００３】
図８の（ａ）は、特許文献１に開示された魚釣用リールの構成を説明する断面図であり、（ｂ）は、魚釣用リールの側面図であり、（ｃ）は、（ａ）の矢印Ａ領域の部分拡大図である。
【０００４】
特許文献１に開示された魚釣用リールでは、スプール１１０が、リール本体１００の側板部１０１、１０２間で回転自在に支持されており、側板部１０２には、スプール１１０に作用する制動力を調整するためのレバー状の操作部材（ドラグレバー１２０）が設けられている。
ドラグレバー１２０は、スプール１１０の回転軸Ｏ周りに回動可能とされており、図８の（ｂ）に示す矢印Ｘ方向に進退移動可能となっている。魚釣用リールでは、ドラグレバー１２０の回転軸Ｏ周りの角度位置を変えることで、スプール１１０に作用する制動力が調整されるようになっている。
【０００５】
魚釣用リールには、ドラグレバー１２０の操作感の向上と、制動力調整後のドラグレバー１２０の位置を保持するために、ドラグレバー１２０の矢印Ｘ方向への移動に多少の抵抗力を付与する節度機構１３０（図８の（ａ）参照）が設けられている。
【０００６】
節度機構１３０は、周方向に間隙をおいて複数の小穴１３１ａが形成された弧状のガイドリング１３１（図８の（ｂ）参照）と、小穴１３１ａに係合自在なボール１３２（図８の（ｃ）参照）とから構成される。
この節度機構１３０では、ボール１３２は、圧縮バネ１３３によりガイドリング１３１側に付勢された状態で、ドラグレバー１２０の上部に設けられており、ボール１３２が、ドラグレバー１２０の角度位置に応じて決まる小穴１３１ａに係合するようになっている。
これにより、ドラグレバー１２０の操作時に、ドラグレバー１２０の移動に伴ってボール１３２が係合する小穴１３１ａが順次切り替わることで、節度感（クリック感）が得られるようになっている。
【発明の開示】
【発明が解決しようとする課題】
【０００７】
しかし、特許文献１に開示された魚釣用リールでは、小穴１３１ａを有するガイドリング１３１がリール本体１００の表面の広い範囲に露出している。
そのため、砂やゴミなどの異物が小穴１３１ａに付着して、小穴１３１ａへのボール１３２の係合が阻害されることや、リール本体１００に物がぶつかった際に小穴１３１ａが損傷して、小穴１３１ａへのボール１３２の係合が不可能となることなどにより、ドラグレバー１２０の操作時に節度感が得られなくことがあった。
【０００８】
そこで、本発明は、ドラグレバーの操作時の節度感が安定して得られるようにした魚釣用リールを提供することを目的とする。
【課題を解決するための手段】
【０００９】
本発明は、リール本体の一側に設けた操作部材の回動操作により、スプールを軸方向に押圧して、前記スプールに制動力を付与するドラグ機構を備える魚釣用リールにおいて、操作部材の基部と、リール本体側部における基部と重なる対向部とのうちの一方に、操作部材の回動軸周りに周方向に沿って間隔をあけて凹部を複数形成すると共に、他方に、凹部に弾性係合する係合部材を設けた構成とした。
【発明の効果】
【００１０】
節度機構を構成する凹部と係合部材は、リール本体の表面に露出していない。よって、凹部への異物の付着や凹部の損傷により凹部への係合部材の弾性係合が阻害されることがないので、操作部材の操作時の節度感が安定して得られるようになる。
【発明を実施するための最良の形態】
【００１１】
以下、本発明の実施形態を説明する。
図１は、実施形態にかかる魚釣用リールの構成を示す断面図であり、図２の（ａ）は、図１における要部拡大図であり、（ｂ）は、（ａ）におけるＡ―Ａ線断面図である。
【００１２】
魚釣用リールのリール本体１は、釣糸が巻き回されるスプール２を回転可能に支持した左側板部１０、右側板部２０を備えている。
右側板部２０には、スプール２の回転に制動力を付与するドラグ機構６０のドラグレバー６１が設置されている。
【００１３】
さらに、右側板部２０には、スプール２を回転駆動するためのハンドル３０が設置されている。
右側板部２０は、フレーム２１と、このフレーム２１を覆うように取り付けられたカバー２２とを備えており、フレーム２１とカバー２２との間に形成される空間Ｓ内に、ハンドル３０の回転駆動力をスプール２に伝達する動力伝達機構４０が設けられている。
【００１４】
動力伝達機構４０には、ハンドル３０の回転操作を、高速巻き取り状態／低速巻き取り状態に切り換える変速装置５０が組み込まれている。
【００１５】
変速装置５０は、一端側に高速ギヤ５１および低速ギヤ５２を回転可能に支持した筒状のハンドル軸５３と、ハンドル軸５３の内部空間に収容され、軸方向に移動可能とされた切換シャフト５４と、切換シャフト５４の軸方向移動により、高速ギヤ５１と低速ギヤ５２に選択的に係合して、高速巻き取り状態と低速巻き取り状態との間で切り換え可能とする移動コマ５５を有している。
【００１６】
ハンドル軸５３は、カバー２２に対して、軸受５６、５７を介して回転可能に支持されると共に、カバー２２との間に設置された逆転防止装置（ワンウェイクラッチ）５８により、釣糸の巻き取り方向にのみ回転できるように構成されている。
【００１７】
ハンドル軸５３の他端部５３ａには、ハンドル３０の基端部３１が外嵌しており、ハンドル３０は、ハンドル軸５３の開口端に螺入したナット部材３２により、ハンドル軸５３と一体回転可能とされている。
【００１８】
この変速装置５０では、切換シャフト５４の端部に設けた操作部５４ａを押圧操作することで、移動コマ５５を低速ギヤ５２に嵌合させ、切換シャフト５４に係合する切換レバー５９を回動操作することで、公知のように切換シャフト５４の軸方向位置規制が解除されて、移動コマ５５を高速ギヤ５１に嵌合させることが可能となっており、これらの操作により、高速巻き取り状態と低速巻き取り状態との間での切換が行われるようになっている。
【００１９】
スプール２は、軸受１１、１２を介して、スプール軸３で回転可能に支持されている。
スプール軸３の一端側３ａには、高速ピニオンギヤ４が、スプール軸３に回転可能に外挿されており、スプール軸３の一端側３ａは、高速ピニオンギヤ４を介して、右側板部２０に設けられた軸受１４で回転可能に支持されている。
【００２０】
スプール軸３では、高速ピニオンギヤ４と低速ピニオンギヤ５とが並設されており、それぞれ変速装置５０の高速ギヤ５１および低速ギヤ５２と噛合している。
高速ピニオンギヤ４よりも大径の低速ピニオンギヤ５は、高速ピニオンギヤ４の外周に回り止め嵌合されている。
【００２１】
低速ピニオンギヤ５の外周には、ドラグディスク６を支持する支持部材７が回り止め嵌合されており、高速ピニオンギヤ４、低速ピニオンギヤ５、そして支持部材７は、一体回転可能となっている。
【００２２】
ドラグディスク６は、後記するドラグ機構６０のドラグレバー６１の操作により、スプール２が右側板部２０側（図中右側）に移動した際に、スプール２の側面に設けられたライニング材２ａと接触して、スプール２の回転に制動力を付与する。
【００２３】
支持部材７は、軸受保持部７ａに設けられた軸受１３を介して、スプール軸３で回転可能に支持されており、この軸受１３と軸受１２との間には、圧縮バネ１５が介挿されている。
軸受１２は、スプール軸３と共に軸方向に移動可能とされており、軸受１２は、圧縮バネ１５により、スプール２の段部２ｂとスプール軸３の段部３ｄとに突き当てられている。
【００２４】
圧縮バネ１５により付勢された軸受１２は、後記するドラグ機構６０によりスプール軸３が左側板部１０側（図中左側）に移動させられた際に、スプール２を、左側板部１０側に移動させて、スプール２（ライニング材２ａ）とドラグディスク６との間に一定のクリアランスＣを形成する。
【００２５】
また、圧縮バネ１５は、図中右側に位置する構造体（軸受１３、支持部材７、低速ピニオンギヤ５、高速ピニオンギヤ４と、軸受１４）を、右側板部２０の内面に付勢する。
【００２６】
左側板部１０で支持されているスプール軸３の他端側３ｃには、ピン１６が圧入により固定されている。ピン１６と軸受１１との間には、ワッシャバネ１７が設けられており、ワッシャバネ１７および軸受１１は、スプール軸３と共に軸方向に移動可能とされている。
【００２７】
ピン１６は、後記するドラグ機構６０により、スプール軸３と共に右側板部２０側（図中右側）に移動した際に、スプール２の段部２ｃに当接する軸受１１を、ワッシャバネ１７を介して右側板部２０側に付勢して、スプール２（ライニング材２ａ）をドラグディスク６に当接させる方向に移動させる。
【００２８】
図２の（ａ）に示すように、スプール軸３の一端側３ａに設けられたドラグ機構６０は、ドラグレバー６１と、ドラグレバー６１の操作方向（回動方向）に応じて、スプール軸３を軸方向に進退移動させるカム機構６３とを備えている。
【００２９】
ドラグレバー６１は、右側板部２０のドラグレバー取付部２３において、スプール軸３の回転中心Ｏ回りに回動可能に設けられている。
【００３０】
図３に示すように、ドラグレバー取付部２３を有する右側板部２０の表面には、ドラグレバー６１の回動範囲を規定するストッパＳ１、Ｓ２が設けられている。
ストッパＳ１は、ドラグレバー６１の反時計回り方向（ＣＣＷ）の回動範囲を規制して、ドラグレバー６１の操作に連動して動作するドラグ機構６０により、スプール２がフリー回転可能な状態となる位置で、ドラグレバー６１を停止させる。
ストッパＳ２は、ドラグレバー６１の時計回り方向（ＣＷ）の回動範囲を規制して、ドラグ機構６０により、スプール２がスプール軸３と一体回転可能な状態でドラグ力が最大となる位置で、ドラグレバー６１を停止させる。
ここで、右側板部２０の表面では、ストッパＳ１、Ｓ２のみが表面に突出しており、フレーム２１とカバー２２とを組み付けるボルトＢは、右側板部２０内に収容されて、表面から突出しないようになっている。
【００３１】
図２の（ａ）に示すように、カム機構６３は、ドラグレバー６１の環状基部６２と一体で回動するカム部材６４と、カム部材６４の回動によりスプール軸３の軸方向に進退移動（スライド）するスライド部材６５と、スプール軸３の一端側３ａに固定された固定部材６６と、スライド部材６５をカム部材６４側に付勢するスプリング６７とを備えて構成される。
【００３２】
図４は、カム機構６３を説明する図であって、（ａ）は、カム機構６３の分解図であり、（ｂ）は、（ａ）におけるＡ−Ａ矢視図であり、（ｃ）は、（ａ）におけるＢ−Ｂ矢視図であり、（ｄ）は、（ｃ）におけるＣ−Ｃ矢視図であり、（ｅ）は、（ａ）におけるＤ−Ｄ矢視図である。
【００３３】
ドラグレバー６１の環状基部６２は、スプール軸３とドラグレバー取付部２３の周壁部２４を挿通する開口６２ａと、開口６２ａを所定間隔で囲む周壁部６２ｂとを有している。
カム部材６４は、カム機構６３が組み立てられた状態において、環状基部６２の周壁部６２ｂにより囲まれた空間内に配置され、筒部６４ｂを、環状基部６２の六角形形状の開口６２ａ（図４の（ｂ）参照）に挿入した状態で、環状基部６２に回り止め嵌合されている。
【００３４】
図４の（ａ）、（ｃ）、（ｄ）に示すように、カム部材６４は、スライド部材６５側に延びるカム部６４ｃを有している。カム部６４ｃでは、カム部材６４の直径線に沿って溝６４ｄが形成されており、スライド部材６５の突起６５ｂが当接するカム面６４ｅは、溝６４ｄから反時計回り方向に離れるにつれて、基準面Ｔからの離間距離が大きくなるように傾斜している。
【００３５】
図４の（ａ）、（ｅ）に示すように、スライド部材６５の６角形形状の開口６５ａには、カム部材６４の開口６４ａを貫通したスプール軸３と周壁部２４の先端２４ａとが挿通されており、スライド部材６５の開口６５ａは、周壁部２４の先端２４ａに回り止め嵌合されると共に、スプール軸３の軸方向に進退可能とされている。
スライド部材６５は、カム部材６４の溝６４ｄと整合する位置に突起６５ｂを有しており、突起６５ｂをカム部材６４のカム面６４ｅに当接させた状態で設けられている。
【００３６】
したがって、例えばドラグレバー６１の回動に連動してカム部材６４が時計回り方向（ＣＷ）に回転すると、カム面６４ｅと突起６５ｂとの当接位置が、図４の（ｄ）に示すように、点ａから、点ｂ、点ｃというように基準面Ｔから離れるので、スライド部材６５は、図２において右方向に移動する。
一方、カム部材６４が反時計回り方向（ＣＣＷ）に回転すると、カム面６４ｅと突起６５ｂとの当接位置が、基準面Ｔに近づくので、スプリング６７により付勢されているスライド部材６５は、図２において左方向に移動する。
カム面６４ｅの点ｂおよび点ｃに凹部または凸部を形成して、スライド部材６５の突起６５ｂが多少引っかかるようにしておけば、ドラグレバー６１のドラグフリー近くの点ｂ、またはドラグ力が最大近くの点ｃに、ドラグレバー６１の回動操作時に多少の抵抗感を与えることができる。
【００３７】
スライド部材６５の突起６５ｂとは反対側の面には、固定部材６６の筒部６６ａを所定間隔で囲む周壁部６５ｃが設けられている。
周壁部６５ｃの外周面には周方向の全周に亘って溝６５ｄが形成されており、スライド部材６５は、カム機構６３が組み立てられた状態において、溝６５ｄに外嵌させたＯリング６８を、環状基部６２の周壁部６２ｂに当接させた状態で配置される。
【００３８】
スライド部材６５の周壁部６５ｃで囲まれた底面６５ｅは、固定部材６６の筒部６６ａの端部６６ｂが当接する当接面とされている。
よって、カム部材６４の回転によりスライド部材６５が図２において右方向に移動すると、固定部材６６がスライド部材６５により図中右方向に押されることで、固定部材６６が固定されたスプール軸３もまた、図中右方向に移動するようになっている。
【００３９】
図４の（ａ）に示すように、スライド部材６５の底面６５ｅと、固定部材６６の裏面６６ｃとの間にはスプリング６７が設けられており、スライド部材６５はスプリング６７により、カム部材６４側に付勢されている。
【００４０】
固定部材６６では、筒部６６ａの内周面に雌ネジ部６６ｄが設けられている。固定部材６６は、スプール軸３の雄ネジ３ｂを雌ネジ部６６ｄに螺入してスプール軸３の一端側３ａに固定されている。
固定部材６６は、スライド部材６５の軸方向への移動に連動してスプール軸３を軸方向に移動させる。さらに、固定部材６６を回転させてスプール軸３への締め込み量を調整することで、スプール軸３の軸方向位置を微調整でき、ドラグ力の調節範囲の基準値を変更できる。
この際、固定部材６６の裏面６６ｃには、スライド部材６５のギヤ６５ｆと係合するクリックつめ６６ｅが設けられているので、固定部材６６を回転させた際にクリックつめ６６ｅが発音体として機能するようになっている。
【００４１】
かかる構成のドラグ機構６０によると、ドラグレバー６１の時計回り方向への回動に連動してカム部材６４が時計回り方向に回転すると、上記したカム機構６３によりスプール軸３が図１において右方向に移動させられる。そうすると、図１に示すように、スプール軸３が圧入されたピン１６が、ワッシャバネ１７と、軸受１１と、スプール２と、軸受１２とを、圧縮バネ１５の付勢力に抗して、図中右方向に移動させて、スプール２（ライニング材２ａ）をドラグディスク６に当接させる。
これにより、ドラグレバー６１の時計回り方向の操作量が大きくなるほど、スプール２がドラグディスク６に大きな力で当接させられるので、スプール２の回転に付与される制動力が大きくなり、ドラグレバー６１がストッパＳ２に当接した時点で、スプール２の回転が阻止された状態（ドラグ力最大状態）になる。
【００４２】
一方、ドラグレバー６１の反時計回り方向への回動に連動してカム部材６４が反時計回り方向に回転すると、上記したカム機構６３により、スプール軸３が図１において左方向に移動させられる。そうすると、スプール２は、圧縮バネ１５により図中左方向に付勢されている軸受１２により、図中左方向に移動させられる。
これにより、ドラグレバー６１の反時計回り方向操作量が大きくなるほど、スプール２の回転に付与される制動力が小さくなり、ドラグレバー６１がストッパＳ２に当接した時点で、スプール２の回転が完全に許容された状態（ドラグ力が作用しないスプールフリー状態）になる。
【００４３】
図２の（ａ）に示すように、スプール軸３の軸方向におけるドラグレバー取付部２３の端面２３ｃは、ドラグレバー６１の環状基部６２により覆われており、スプール軸３の軸方向から見て、環状基部６２とドラグレバー取付部２３とが重なる部分に、ドラグレバー６１の操作時に節度感（クリック感）を与える節度機構７０が設けられている。
【００４４】
節度機構７０は、ドラグレバー６１の回動中心Ｏ（スプール軸３の回転中心）周りに周方向に沿って所定間隔で設けられた複数のピン係合穴７２（図２の（ｂ）参照）と、ピン係合穴７２に弾性係合するピン７４、７５（図２の（ａ）参照）とから構成される。
【００４５】
ドラグレバー取付部２３では、スプール軸３の回転中心Ｏを挟んで対称となる位置に、ピン支持孔７６、７６が設けられており、ピン支持孔７６、７６には、それぞれピン７４、７５が挿入されている。
ピン７４、７５は、それぞれ圧縮バネ７７、７７により付勢されており、略半球面形状の頭部７４ａ、７５ａを、ドラグレバー取付部２３の端面２３ｃから突出させている。
【００４６】
ドラグレバー取付部２３と、ドラグレバー６１の環状基部６２との間には、円板７１とワッシャ７３とが設けられている。
円板７１は、ドラグレバー取付部２３の端面２３ｃと整合するリング形状を有しており、環状基部６２に回り止め固定されている。
【００４７】
円板７１には、ピン係合穴７２が設けられており、図２の（ｂ）に示すように、ピン係合穴７２は、ドラグレバー６１の回動中心Ｏ周りに、周方向に沿って所定間隔で複数設けられている。
これらピン係合穴７２は、ドラグレバー６１の操作により環状基部６２が回動中心Ｏ回りに回転した際に、ピン７４、７５の頭部７４ａ、７５ａと、円板７１との当接点が描く仮想円Ｙ（回動中心Ｏを中心とする所定半径の仮想円）上に位置している。ピン係合穴７２は、ピン７４、７５の頭部７４ａ、７５ａが係合可能な大きさを有しており、仮想円Ｙの全周に亘って設けられている。
【００４８】
ここで、ドラグレバー６１をストッパＳ１（図３参照）に当接させた状態において、ピン係合穴７２ａにはピン７４が係合し、ピン係合穴７２ａ’にはピン７５が係合するようになっている。
そして、ドラグレバー６１を、ストッパＳ１に当接させた位置から、ストッパＳ２（図４参照）に当接させる位置に向けて回動させると、ピン７４は、ピン係合穴７２ａ、７２ｂ、７２ｃ、７２ｄ・・・という順番で、ピン７５は、ピン係合穴７２ａ’、７２ｂ’、７２ｃ’、７２ｄ’・・・という順番で、それぞれ隣接するピン係合穴に係合するので、節度感が与えられることになる。
【００４９】
ここで、実施形態におけるドラグレバー６１が、請求項における「操作部材」に相当し、ドラグレバー取付部２３が、請求項における「リール本体側部における基部と重なる対向部」に相当し、円板７１が、請求項における「板状部材」に相当し、円板７１に形成されたピン係合穴７２が、請求項における「凹部」に相当し、圧縮バネ７７により付勢されたピン７４、７５が、請求項における「弾性係合する係合部材」に相当する。
【００５０】
以上の通り、本実施形態では、リール本体１の一側に設けたドラグレバー６１の回動操作により、リール本体１の左側板部１０と右側板部２０との間で回転可能に支持されたスプール２をドラグディスク６に押圧して、スプール２に制動力を付与するドラグ機構６０を備える魚釣用リールにおいて、ドラグレバー６１の環状基部６２に、ドラグレバー６１の回動中心Ｏ周りに周方向に沿って所定間隔をあけてピン係合穴７２が複数形成された円板７１を設けると共に、リール本体１のドラグレバー取付部２３に、ピン係合穴７２に弾性係合するピン７４、７５を設けて、ドラグレバー６１の操作時に節度感を与える節度機構７０を構成するピン係合穴７２とピン７４、７５とが、軸方向から見て環状基部６２とドラグレバー取付部２３とが重なる部分に設けられて、リール本体１の表面に露出しないようにした。
これにより、ピン係合穴７２への異物の付着やピン係合穴７２の損傷が防止されるので、ピン係合穴７２へのピン７４、７５の係合が阻害されることがない。よって、安定した節度機構が維持される。
また、ドラグレバー６１の環状基部６２と、リール本体１の右側板部２０の保有スペース（肉厚部）を有効活用して、ピン係合穴７２とピン７４、７５とを配置できるので、魚釣用リールをコンパクト化することができる。
さらに、ピン係合穴７２を円板７１に形成する構成としたので、ピン係合穴７２の形成間隔が異なるワッシャを複数用意することで、ワッシャを交換するだけで、節度感の異なる種々の魚釣用リールを提供できる。
【００５１】
なお、前記実施形態では、ドラグレバー６１の環状基部６２側に、ピン係合穴７２を設けると共に、リール本体１のドラグレバー取付部２３側に、ピン７４、７５を設けた構成としたが、ドラグレバー取付部２３側にピン係合穴を設けると共に、ドラグレバー６１の環状基部６２側に、ピンを設けた構成としても良い。このようにすることによっても、安定した節度機構が維持されることになる。
【００５２】
図５の（ａ）は、節度機構の変形例を示す要部断面図であり、（ｂ）は、（ａ）におけるＡ―Ａ線断面図である。
変形例にかかる節度機構７０Ａでは、ピン係合穴に弾性係合するピンを１つのみ備えている。
具体的には、ドラグレバー取付部２３には、ピン支持孔７６が１つのみ形成されており、圧縮バネ７７によりピン支持孔７６から突出させたピン７４のみが、円板７１のピン係合穴７２に弾性係合するように構成されている。
かかる構成とすると、ドラグレバー取付部２３には、１つのピン支持孔７６のみを形成すれば良いので、加工工数の減少による作製コストの低減と、部品点数の削減とが可能となる。
【００５３】
さらに、この場合において、円板７１に形成するピン係合穴７２の数を削減して、図５の（ｂ）に示すように、ピン７４の可動範囲（図５の場合、回転中心Ｏ周りの１２０度範囲）にのみピン係合穴７２が形成された円板７１Ａを採用しても良い。
このようにすることによっても、加工工数の減少による作製コストの低減が可能となる。
【００５４】
また、前記実施形態では、図２に示すように、別部材である円板７１を環状基部６２に取り付けていたが、ピン係合穴を、ドラグレバー６１の環状基部６２に直接形成して、円板７１を用いないようにしても良い。
このようにすることによっても、部品点数の削減による魚釣用リールの作製コストの低減が可能となる。
【００５５】
次に、第２実施形態にかかる魚釣用リールを説明する。
なお、以下の説明において、前記第１実施形態にかかる魚釣用リールと同じものは、同一の符号を付して示し、その説明は省略する。
図６の（ａ）は、第２実施形態にかかる魚釣用リールの要部を拡大して示す断面図であり、（ｂ）は、（ａ）におけるＡ−Ａ線断面図であり、（ｃ）は、（ｂ）におけるＢ−Ｂ矢視図である。
【００５６】
第２実施形態にかかる魚釣用リールは、ドラグレバー６１がドラグレバー６１の回動可能範囲を規定するストッパＳ１、Ｓ２（図３参照）の近傍に移動したことを、ドラグレバー６１の回動操作に抵抗力を付与することで伝える抵抗力付与機構８０を備えている。
【００５７】
図６の（ａ）、（ｂ）に示すように、抵抗力付与機構８０は、ドラグレバー６１の回動中心Ｏ（スプール軸３の回転中心）周りに周方向に沿って設けられたピン摺動溝８１と、ピン摺動溝８１に弾性係合して、ピン摺動溝８１内を摺動する摺動ピン８５とから構成される。
具体的には、ドラグレバー取付部２３には、ドラグレバー６１の回動中心Ｏを挟んでピン支持孔７６と対称となる位置に、摺動ピン８５が挿入される摺動ピン支持穴８６が設けられている。
摺動ピン８５の頭部８５ａは、ピン７４の頭部７４ａよりも軸方向沿って環状基部６２側に膨出しており、摺動ピン８５は、圧縮バネ８７により付勢されて、頭部８５ａをドラグレバー取付部２３の端面２３ｃから突出させている。
【００５８】
ピン摺動溝８１は、ピン係合穴７８と共に環状基部６２に直接形成されており、ピン摺動溝８１とピン係合穴７８は、回動中心Ｏを中心とする同一の仮想円（図示せず）上に位置している。なお、ピン摺動溝８１とピン係合穴７８とは、回動中心Ｏを中心とする異なる半径の仮想円上に、それぞれ位置していても良い。
ピン摺動溝８１は、摺動ピン８５の頭部８５ａよりも大きい幅を有しており、ピン摺動溝８１は、ドラグレバー６１の回動中心Ｏを挟んで、ピン係合穴７８列に対して対称に設けられている。ここで、図６の場合、ピン係合穴７８は、回動中心Ｏ周りの１２０度範囲に設けられている。
【００５９】
図６の（ｃ）に示すように、ピン摺動溝８１の周方向（長さ方向）における両端部の近傍に、すなわちピン摺動溝８１の一端および他端には、ピン摺動溝８１内を摺動する摺動ピン８５が乗り越えることができる程度の高さの傾斜面８３、８３’が形成されている。
【００６０】
ここで、ドラグレバー６１をストッパＳ１（図４参照）に当接させた状態（ドラグ力が作用しないスプールフリー状態）において、ピン係合穴７８ａにはピン７４が係合し、摺動ピン８５は、図中符号ａで示す位置に配置されるようになっている。
【００６１】
そして、ドラグレバー６１を、ストッパＳ１に当接させた位置から、ストッパＳ２（図４参照）に当接させる位置（ドラグ力最大状態）に向けて回動させると、ピン７４は、ピン係合穴７８ａ、７８ｂ、７８ｃ・・・という順番で隣接するピン係合穴７８に順次係合し、摺動ピン８５は、ピン摺動溝８１内を摺動しながら、符号ａで示す位置から、符号ｂ、ｃ、ｄで示す位置へ順次移動する。
【００６２】
ここで、ドラグレバー６１がストッパＳ２に当接する手前の所定位置に達した際に、摺動ピン８５が到達する位置に、傾斜面８３は設けられている。
そのため、位置ｃに到達した摺動ピン８５が傾斜面８３を乗り越える際の負荷により、ドラグレバー６１の回動に抵抗力が与えられるようになっている。
なお、傾斜面８３’は、ドラグレバー６１がストッパＳ１に当接する手前の所定位置に達した際に、摺動ピン８５が到達する位置に設けられている。
【００６３】
抵抗力付与機構８０により、ドラグレバー６１の操作可能範囲を規定するストッパＳ１、Ｓ２（図４参照）の近傍において、ドラグレバー６１の回動に抵抗力を与えることで、操作可能範囲の終了が近いことを、感覚的に伝えることができるようになっている。
【００６４】
このように、第２実施形態にかかる魚釣用リールでは、ドラグレバー６１の環状基部６２に、ドラグレバー６１の回動中心Ｏ周りに、周方向に沿ってピン摺動溝８１を形成すると共に、リール本体１のドラグレバー取付部２３に、ピン摺動溝８１に弾性係合してピン摺動溝８１内を摺動する摺動ピン８５を設けて、ドラグレバー６１の回動操作に抵抗力を付与する抵抗力付与機構８０を構成するピン摺動溝８１と摺動ピン８５とが、軸方向から見て環状基部６２とドラグレバー取付部２３とが重なる部分に設けられて、リール本体１の表面に露出しないように構成し、さらにピン摺動溝８１の長さ方向（周方向）における一端および他端には、ピン摺動溝８１内を摺動する摺動ピン８５が乗り越えることができる高さで傾斜面８３、８３’が形成されている構成とした。
これにより、ドラグレバー６１の操作に連動してピン摺動溝８１内を摺動する摺動ピン８５が、傾斜面８３、８３’に達すると、傾斜面８３、８３’を摺動ピン８５が乗り越える際の負荷が、ドラグレバー６１の回動の抵抗力となる。
よって、ドラグレバー６１が操作可能範囲の終了位置を規定するストッパＳ１、Ｓ２の近傍に達した際に摺動ピン８５が到達する位置に傾斜面８３、８３’を設けることで、ドラグレバー６１に作用する抵抗力で、ドラグレバー６１の操作可能範囲の終了が近いことを、感覚的に伝えることができる。
【００６５】
次に、第２実施形態にかかる魚釣用リールの抵抗力付与機構８０の変形例を説明する。
図７は、抵抗力付与機構８０の変形例を示す図であって、（ａ）は、ドラグレバー６１の環状基部６２を、ドラグレバー取付部２３側から見た断面図であり、（ｂ）は、（ａ）におけるＣ−Ｃ矢視図であり、（ｃ）は、変形例にかかる抵抗力付与機構を備える魚釣用リールの側面図である。
【００６６】
変形例にかかる抵抗力付与機構８０では、ドラグレバー６１の環状基部６２に、ドラグレバー６１の回動中心Ｏ周りに、周方向に沿ってピン摺動溝８１が形成されており、ピン摺動溝８１の両端部８２に、摺動ピン８５の摺動範囲を規定するストッパ部８４、８４’が形成されている。さらに、ピン摺動溝８１では、ピン摺動溝８１内を摺動する摺動ピン８５が乗り越えることができる程度の高さの傾斜面８３、８３’が、ストッパ部８４、８４’の近傍に形成されている。
【００６７】
ストッパ部８４、８４’は、カバー２２の表面に設けられていたストッパＳ１、Ｓ２（図４参照）の代わりに、ドラグレバー６１の回動可能範囲を規定するために設けられている。
そのため、図４においてドラグレバー６１がストッパＳ１に当接していた位置にドラグレバー６１が到達した際に、ストッパ部８４’が摺動ピン８５と当接し、図４においてドラグレバー６１がストッパＳ２に当接していた位置にドラグレバー６１が到達した際に、ストッパ部８４が摺動ピン８５と当接するようになっている。
【００６８】
このように、変形例にかかる抵抗力付与機構では、ドラグレバー６１の環状基部６２に、ドラグレバー６１の回動中心Ｏ周りに、周方向に沿ってピン摺動溝８１を形成すると共に、リール本体１のドラグレバー取付部２３に、ピン摺動溝８１に弾性係合してピン摺動溝８１内を摺動する摺動ピン８５を設けて、ドラグレバー６１の回動操作に抵抗力を付与する抵抗力付与機構８０を構成するピン摺動溝８１と摺動ピン８５とが、軸方向から見て環状基部６２とドラグレバー取付部２３とが重なる部分に設けられて、リール本体１の表面に露出しないように構成し、さらにピン摺動溝８１の長さ方向（周方向）における一端および他端には、ピン摺動溝８１内を摺動する摺動ピン８５の摺動範囲を規定するストッパ部８４、８４’が設けられている構成とした。
これにより、図４においてカバー２２の表面に設けられていたストッパＳ１、Ｓ２を廃止することができる。よって、図７の（ｃ）に示すように、リール本体の表面に露出する突起（ストッパＳ１，Ｓ２）がなくなるので、魚釣用リールの表面の凹凸を少なくすることができる。
【００６９】
さらに、ピン摺動溝８１の周方向における一端側および他端側であって、摺動ピン８５の摺動範囲を規定するストッパ部８４、８４’の近傍には、摺動ピン８５が乗り越えることができる程度の高さの傾斜面８３、８３’が形成されている構成とした。
これにより、ドラグレバー６１が傾斜面８３、８３’を摺動ピン８５が乗り越える際の負荷が、ドラグレバー６１の回動の抵抗力となるので、ドラグレバー６１に作用する抵抗力で、ドラグレバー６１の操作可能範囲の終了が近いことを、感覚的に伝えることができる。
【００７０】
なお、第２実施形態およびその変形例では、ドラグレバー６１の環状基部６２側に、ピン摺動溝８１を設けると共に、リール本体１のドラグレバー取付部２３側に、摺動ピン８５を設けた構成としたが、ドラグレバー取付部２３側に摺動ピンを設けると共に、ドラグレバー６１の環状基部６２側に、ピン摺動溝を設けた構成としても良い。
【図面の簡単な説明】
【００７１】
【図１】実施形態にかかる魚釣用リールの構成を説明する断面図である。
【図２】節度機構を説明する断面図である。
【図３】実施形態にかかる節度機構を備える魚釣用リールの側面図である。
【図４】カム機構を説明する図である。
【図５】節度機構の変形例を説明する断面図である。
【図６】第２実施形態にかかる魚釣用リールの断面図である。
【図７】抵抗力付与機構の変形例を示す図である。
【図８】従来例にかかる魚釣用リールの構成を説明する図である。
【符号の説明】
【００７２】
１      リール本体
２      スプール
３      スプール軸
４      高速ピニオンギヤ
５      低速ピニオンギヤ
６      ドラグディスク
７      支持部材
１０    左側板部
１１〜１４    軸受
１５    圧縮バネ
１６    ピン
１７    ワッシャバネ
２０    右側板部
２３    ドラグレバー取付部
３０    ハンドル
４０    動力伝達機構
５０    変速装置
６０    ドラグ機構
６１    ドラグレバー
６２    環状基部
６３    カム機構
６４    カム部材
６５    スライド部材
６６    固定部材
６７    スプリング
６８    Ｏリング
７０、７０Ａ  節度機構
７１、７１Ａ    円板
７２、７８    ピン係合穴
７４、７５    ピン
７６    ピン支持孔
７７    圧縮バネ
８０    抵抗力付与機構
８１    ピン摺動溝
８３、８３’    傾斜面
８４、８４’    ストッパ部
８５    摺動ピン
８６    摺動ピン支持穴
８７    圧縮バネ
Ｓ１    ストッパ
Ｓ２    ストッパ
【図１】
2010104262.tif 000003
【図２】
2010104262.tif 000004
【図３】
2010104262.tif 000005
【図４】
2010104262.tif 000006
【図５】
2010104262.tif 000007
【図６】
2010104262.tif 000008
【図７】
2010104262.tif 000009
【図８】
2010104262.tif 000010